(57)【要約】【課題】  本発明は、嵌め込み式でありながら飾り帯が衝撃等でシャーシから容易に外れないようにする。【解決手段】  本発明は、係合爪５７、５８を係合穴６１、６２に対して係合させることによりセットシャーシ２０に飾り帯１５を取り付けると共に、位置決めダボ６３、６４が位置決め穴５６、５９に対して嵌め込まれることにより係合爪５７、５８及び係合穴６１、６２による係合状態を解除する方向への動きを規制し、かつ係合爪５７、５８が係合穴６１、６２に対して係合されることにより位置決めダボ６３、６４及び位置決め穴５６、５９による嵌め込み状態を解除する方向への動きが規制されるので、双方が互いの動きを規制することになり、外部から衝撃が加えられた場合であっても飾り帯１５がセットシャーシ２０から外れてしまうことを防止することができる。【選択図】        図１４
2006024780.tif 000002
【特許請求の範囲】
【請求項１】
枠体形状のシャーシに取り付けられた帯状でなる飾り帯が上側筐体及び下側筐体間に挟み込まれた状態で用いられる飾り帯付電子機器であって、
上記飾り帯を係合により取り付けるための係合穴と、上記飾り帯を取り付ける際の位置決用の位置決め凸部とが枠体に形成された上記シャーシと、
上記係合穴に係合させるための係合爪及び上記位置決め凸部に嵌め込むための位置決め穴が設けられた上記飾り帯と
を具え、
上記位置決め凸部が上記位置決め穴に対して嵌め込まれることにより上記係合爪及び上記係合穴による係合状態を解除する方向への動きが規制されると共に、上記係合爪が上記係合穴に係合されることにより上記位置決め凸部及び上記位置決め穴による嵌め込み状態を解除する方向への動きが規制される
ことを特徴とする飾り帯付電子機器。
【請求項２】
上記位置決め凸部は、上記位置決め穴が嵌め込まれ易くするためにその表面が一部面取りされている
ことを特徴とする請求項１に記載の飾り帯付電子機器。
【発明の詳細な説明】
【技術分野】
【０００１】
本発明は、飾り帯付電子機器に関し、例えばポータブルミニディスクプレーヤに適用して好適なものである。
【背景技術】
【０００２】
従来、ポータブルミニディスクプレーヤにおいては、下側筐体を構成する本体ケースに対して上側筐体を構成する上蓋ケースが開閉する構造を有しており、当該上蓋ケースに取り付けられたホルダに対して直径６４ｍｍのディスク状記録媒体が収納されたディスクカートリッジを装填して用いるようになされている。
【０００３】
このようなポータブルミニディスクプレーヤにおいては、本体ケースと上蓋ケースとの間に金属製若しくは樹脂製で形成された飾り帯びと呼ばれるポータブルオーディオ装置特有の装飾部品が取り付けられているものがある（例えば、特許文献１参照）。
【特許文献１】特開2000-13043公報
【発明の開示】
【発明が解決しようとする課題】
【０００４】
ところでかかる構成のポータブルミニディスクプレーヤにおいては、飾り帯を本体ケース内部のメインフレームとして用いられるセットシャーシに取り付ける際、セットシャーシの「係合爪」を帯部材の「爪穴」に係合させ、かつセットシャーシの表面から僅かに突出した部分でなる「だぼ」を帯部材の「だぼ穴」に嵌め込むようにしているが、外部からの衝撃が加えられた場合等には係合状態や嵌め込み状態が解除されてセットシャーシから飾り帯が容易に外れてしまうという問題があった。
【０００５】
本発明は以上の点を考慮してなされたもので、嵌め込み式でありながら飾り帯が衝撃等でシャーシから容易に外れることのない簡素な構成の飾り帯付電子機器を提案しようとするものである。
【課題を解決するための手段】
【０００６】
かかる課題を解決するため本発明の飾り帯付電子機器においては、枠体形状のシャーシに取り付けられた帯状でなる飾り帯が上側筐体及び下側筐体間に挟み込まれた状態で用いられる飾り帯付電子機器であって、飾り帯を係合により取り付けるための係合穴と、飾り帯を取り付ける際の位置決用の位置決め凸部とが枠体に形成されたシャーシと、係合穴に係合させるための係合爪及び位置決め凸部に嵌め込むための位置決め穴が設けられた飾り帯とを具え、位置決め凸部が位置決め穴に対して嵌め込まれることにより係合爪及び係合穴による係合状態を解除する方向への動きが規制されると共に、係合爪が係合穴に係合されることにより位置決め凸部及び位置決め穴による嵌め込み状態を解除する方向への動きが規制されるようにする。
【０００７】
飾り帯付電子機器では、係合爪を係合穴に対して係合させることによりシャーシに飾り帯を取り付けると共に、位置決め凸部が位置決め穴に対して嵌め込まれることにより係合爪及び係合穴による係合状態を解除する方向への動きを規制し、かつ係合爪が係合穴に対して係合されることにより位置決め凸部及び位置決め穴による嵌め込み状態を解除する方向への動きが規制されるので、双方が互いの動きを規制することになり、外部から衝撃が加えられた場合であっても飾り帯がシャーシから外れてしまうことを防止することができる。
【発明の効果】
【０００８】
本発明によれば、係合爪を係合穴に対して係合させることによりシャーシに飾り帯を取り付けると共に、位置決め凸部が位置決め穴に対して嵌め込まれることにより係合爪及び係合穴による係合状態を解除する方向への動きを規制し、かつ係合爪が係合穴に対して係合されることにより位置決め凸部及び位置決め穴による嵌め込み状態を解除する方向への動きが規制されるので、双方が互いの動きを規制することになり、外部から衝撃が加えられた場合であっても飾り帯がシャーシから外れてしまうことを防止し得、かくして嵌め込み式でありながら衝撃等で飾り帯がシャーシから容易に外れることのない簡素な構成の飾り帯付電子機器を実現することができる。
【発明を実施するための最良の形態】
【０００９】
以下、図面について、本発明の一実施の形態を詳述する。
【００１０】
（１）飾り帯のないポータブルミニディスクプレーヤの外観構成
図１において、１は全体として飾り帯のないポータブルミニディスクプレーヤ（以下、これを単にポータブルミニディスクプレーヤと呼ぶ）を示し、下側筐体を構成する本体ケース２と上側筐体を構成するカバー体３とによって全体が形成されている。
【００１１】
ここでポータブルミニディスクプレーヤ１においては、図示しないディスクカートリッジを挿入する方向を後方向とし、ディスクカートリッジを排出する方向を前方向と定義すると共に、ディスクカートリッジを挿入する側にユーザが対峙した状態において右側を右方向及び左側を左方向として定義した上で以下説明する。
【００１２】
このポータブルミニディスクプレーヤ１では、カバー体３を閉塞位置から所定角度の開放位置まで回動させるためのオープンスライダ４が本体ケース２の前方向周側面に設けられている。
【００１３】
またポータブルミニディスクプレーヤ１は、当該本体ケース２の右方向周側面に電池蓋ケース５が取り付けられると共に、再生動作、記録動作、音量調整等を行う各種操作ボタン６〜９が設けられている。なおポータブルミニディスクプレーヤ１は、図示しないがヘッドフォンジャック端子やマイクロフォン端子等が左方向周側面に設けられている。
【００１４】
さらに、このポータブルミニディスクプレーヤ１は飾り帯のないタイプであるため、本体ケース２とカバー体３との間には飾り帯が設けられておらず、当該本体ケース２とカバー体３とが閉塞状態において直接接触することになる。
【００１５】
（２）飾り帯のあるポータブルミニディスクプレーヤの外観構成
一方、図１との対応部分に同一符号を付して示す図２において１１は全体として飾り帯のあるポータブルミニディスクプレーヤ（以下、これを飾帯付ポータブルミニディスクプレーヤと呼ぶ）を表しており、下側筐体を構成する本体ケース１２と上側筐体を構成するカバー体１３とによって全体が形成されている。
【００１６】
ここで飾帯付ポータブルミニディスクプレーヤ１１においても、図示しないディスクカートリッジを挿入する方向を後方向とし、ディスクカートリッジを排出する方向を前方向と定義すると共に、ディスクカートリッジを挿入する側にユーザが対峙した状態において右側を右方向及び左側を左方向として定義した上で以下説明する。
【００１７】
この飾帯付ポータブルミニディスクプレーヤ１１では、カバー体１３を閉塞位置から所定角度の開放位置まで回動させるためのオープンスライダ４が本体ケース１２の前方向周側面に設けられている。
【００１８】
また飾帯付ポータブルミニディスクプレーヤ１１は、当該本体ケース１２の右方向周側面に電池蓋ケース５が取り付けられると共に、再生動作、記録動作、音量調整等を行う各種操作ボタン６〜９が設けられている。なお飾帯付ポータブルミニディスクプレーヤ１１は、図示しないが左方向周側面にはヘッドフォンジャック端子のみが設けられており、ポータブルミニディスクプレーヤ１と飾帯付ポータブルミニディスクプレーヤ１１との間で機能の差別化が図られている。
【００１９】
さらに飾帯付ポータブルミニディスクプレーヤ１１では、ポータブルミニディスクプレーヤ１とは異なり、本体ケース１２とカバー体１３との間に飾り帯１５が設けられており、当該本体ケース２とカバー体３とが閉塞状態において直接接触することなく当該飾り帯１５を介して閉塞状態を形成するようになされている。
【００２０】
ここで飾り帯１５の役割としては、ポータブルミニディスクプレーヤ１と飾帯付ポータブルミニディスクプレーヤ１１との外観デザイン上の差別化を図る装飾部品としての役割を担うと共に、本体ケース２に対して取り付けられることにより当該本体ケース２における周側面のエッジを保護する役割を担うようになされている。
【００２１】
（３）セットシャーシの共用化
図３及び図４に示すようにポータブルミニディスクプレーヤ１の本体ケース２に取り付けられるセットシャーシ２０は、全体として偏平状の枠組み構造で形成された矩形状の枠体でなり、飾帯付ポータブルミニディスクプレーヤ１１の本体ケース１２に対しても共用化され、飾り帯１５の要又は不要に拘わらず、共通のセットシャーシ２０が用いられるようになされている。
【００２２】
このセットシャーシ２０は、前側枠体部２１、後側枠体部２２、右側枠体部２３及び左側枠体部２４が一体化された状態の矩形状でなる枠体として形成されており、当該前側枠体部２１及び左側枠体部２４に対して飾り帯１５が取り付けられるようになされている。
【００２３】
（４）飾り帯の構造
図５、図６及び図７に示すように飾り帯１５は、全体として９０度折り曲げられたＬ字型でなる帯び状に形成されており、第１腕部５１がセットシャーシ２０の前側枠体部２１に取り付けられると共に第２腕部５２が左側枠体部２４に取り付けられるようになされている。
【００２４】
第１腕部５１は、当該第１腕部５１の右側端部及び左側端部にセットシャーシ２０の前側枠体部２１に対する位置決用の位置決め穴５３及び５４が設けられている。また第１腕部５１は、右側端部から当該第１腕部５１の長手方向とは直交方向に折り曲げられて僅かに突出した突出部１５Ａに対しても位置決め穴５５が設けられている。
【００２５】
第２腕部５２は、当該第２腕部５２の先端部と中腹部にセットシャーシ２０に対する位置決用の円形状でなる位置決め穴５６及び５９が設けられると共に、当該第２腕部５２がセットシャーシ２０の左側枠体部２４に取り付けられる面であって当該位置決め穴５６及び５９と近接した位置にそれぞれ係合爪５７及び５８が設けられていることを特徴としている。
【００２６】
なお、第２腕部５２には係合爪５７及び５８が設けられているものの、第１腕部５１には位置決め穴５３、５４及び５５が設けられているだけで係合爪は設けられておらず、第２腕部５２だけで係合状態を形成することにより構造的に簡素化し得るようになされている。
【００２７】
ここで図８（Ａ）に示すように、位置決め穴５３及び５５は直径約１．２３[mm]の円形状に形成されているのに対し、図８（Ｂ）に示すように位置決め穴５４は、僅かに長手方向に細長い長穴形状でなり、高さ約１．２３[mm]で直径１．６３[mm]に形成されている。
【００２８】
これによりユーザが飾り帯１５の第１腕部５１をセットシャーシ２０の前側枠体部２１に取り付ける際の当該第１腕部５１の長手方向における自由度を長穴形状でなる位置決め穴５４によって持たせるようにしている。
【００２９】
図９に示すように飾り帯１５は、セットシャーシ２０に取り付けられる第２腕部５２の当接面５２Ａに対して断面Ｌ字状でなる係合爪５７（５８）が一体に形成されており、当該係合爪５７（５８）の内接面５７Ａ（５８Ａ）及び５７Ｂ（５８Ｂ）がセットシャーシ２０の係合穴（後述する）と接触して係合状態を形成するようになされている。
【００３０】
（５）セットシャーシの構造
図１０に示すようにセットシャーシ２０の左側枠体部２４には、飾り帯１５における第２腕部５２の位置決め穴５６及び５９に対応した凸部円形状でなる位置決めダボ６４及び６３が側面上に形成されると共に、当該第２腕部５２の係合爪５７及び５８に対応した係合穴６１及び６２が形成されており、飾り帯１５の第２腕部５２が取り付けられるようになされている。
【００３１】
ここで係合穴６１及び位置決めダボ６３は、飾り帯１５の係合爪５７及び位置決め穴５９と同様に、互いに所定距離だけ離れた位置関係で設けられている。なお係合穴６２及び位置決めダボ６４についても飾り帯１５の係合爪５８及び位置決め穴５６と同様に、互いに所定距離だけ離れた位置関係で設けられている。
【００３２】
この位置決めダボ６３及び６４は、円の中心から上方に向かって上半面が面取りされており、これにより飾り帯１５における第２腕部５２の位置決め穴５６及び５９に対して当該位置決めダボ６４及び６３が容易に嵌め込み得るようになされている。
【００３３】
図１１に示すようにセットシャーシ２０の前側枠体部２１には、飾り帯１５における第１腕部５１の位置決め穴５３及び５４に対応した凸部円形状でなる位置決めダボ７３及び７４が側面上に形成されており、当該前側枠体部２１に対して飾り帯１５の第１腕部５１が取り付けられるようになされている。
【００３４】
この位置決めダボ７３及び７４についても、円の中心から上方に向かって上半面が面取りされており、これにより飾り帯１５における第１腕部５１の位置決め穴５３及び５４に対して当該位置決めダボ７３及び７４が容易に嵌め込み得るようになされている。
【００３５】
図１２に示すようにセットシャーシ２０の右側枠体部２３には、飾り帯１５の第１腕部５１における突出部１５Ａの位置決め穴５５に対応した凸部円形状でなる位置決めダボ７８が左側端部に形成されており、当該右側枠体部２３の左側端部に対して飾り帯１５の第１腕部５１における突出部１５Ａの位置決め穴５５が嵌め込まれるようになされている。
【００３６】
この位置決めダボ７８については、円の中心から左側へ向かって左半面が面取りされており、これにより飾り帯１５における第１腕部５１の位置決め穴５５に対して当該位置決めダボ７８が容易に嵌め込み得ると共に、一旦嵌め込まれた後には容易に嵌め込み状態が解除されないようになされている。
【００３７】
（６）取り付け方法
図１３及び図１４に示すようにセットシャーシ２０の左側枠体部２４に対して飾り帯１５の第２腕部５２を取り付ける場合、当該第２腕部５２の係合爪５７及び５８が左側枠体部２４の係合穴６１及び６２に対して嵌め合わされた後、第２腕部５２の位置決め穴５９及び５６が左側枠体部２４の位置決めダボ６３及び６４に対して嵌め合わされる。
【００３８】
実際上、図１５に示すように第２腕部５２の係合爪５８が矢印方向へ従い左側枠体部２４における係合穴６２に対して挿通された後、当該係合爪５８が下方に落とされることにより飾り帯１５の内接面５７Ａ及び５７Ｂと係合穴６２とが接触して係合状態を形成するようになされている。
【００３９】
このように左側枠体部２４における係合穴６１及び６２に対して第２腕部５２における係合爪５７及び５８が係合された状態で、第２腕部５２の位置決め穴５９及び５６と左側枠体部２４の位置決めダボ６３及び６４とが嵌め込まれると、第２腕部５２における係合爪５７及び５８が左側枠体部２４における係合穴６１及び６２の中で上方に移動することが規制され、係合状態が解除されることを防止し得るようになされている。
【００４０】
このとき、左側枠体部２４における係合穴６１及び６２と第２腕部５２における係合爪５７及び５８との係合状態が形成されていることにより、第２腕部５２の位置決め穴５９及び５６と左側枠体部２４の位置決めダボ６３及び６４との嵌め込み状態を解除する方向への動きについても同時に規制される。
【００４１】
かくしてポータブルミニディスクプレーヤ１１においては、セットシャーシ２０と飾り帯１５とが取り付けられた状態で、外部からの衝撃が加えられた場合であっても容易に外れてしまうことがなく、簡易な構造でありながらセットシャーシ２０と飾り帯１５との取り付け状態を強固に保持し得るようになされている。
【００４２】
続いて、図１６に示すようにセットシャーシ２０の前側枠体部２１に対して飾り帯１５の第１腕部５１を取り付ける場合、前側枠体部２１の位置決めダボ７３及び７４に対して飾り帯１５の第１腕部５１における位置決め穴５３及び５４を嵌め合わせると共に、右側枠体部２３の位置決めダボ７８に対して第１腕部５１の突出部１５Ａにおける位置決め穴５５を嵌め合わせる。
【００４３】
因みにセットシャーシ２０と飾り帯１５との取り付けに際しては、当該飾り帯１５が持つ可撓性を利用し、第１腕部５１を撓ませた後に当該第１腕部５１における位置決め穴５４及び５３を前側枠体部２１の位置決めダボ７３、７４及び７８に対して嵌め合わせるようになされている。
【００４４】
これにより飾り帯１５はセットシャーシ２０に対して係合と嵌め込みだけの構造で簡易に取り付けられることになる。
【００４５】
（７）動作及び効果
以上の構成において、ポータブルミニディスクプレーヤ１１においては、セットシャーシ２０に対して飾り帯１５を取り付ける場合、第２腕部５２の位置決め穴５９及び５６と左側枠体部２４の位置決めダボ６３及び６４とが嵌め込み状態を形成することにより、第２腕部５２における係合爪５７及び５８が左側枠体部２４における係合穴６１及び６２の中で上方（図１５における矢印と反対方向）に移動することを規制して、その係合状態を強固に保持する。
【００４６】
また同時にポータブルミニディスクプレーヤ１１においては、左側枠体部２４における係合穴６１及び６２と第２腕部５２における係合爪５７及び５８との係合状態が形成されたことにより、第２腕部５２の位置決め穴５９及び５６と左側枠体部２４の位置決めダボ６３及び６４との嵌め込み状態を解除する方向への動きについても同時に規制することができる。
【００４７】
従ってポータブルミニディスクプレーヤ１１においては、セットシャーシ２０と飾り帯１５とを係合及び嵌め込みによって容易に取り付けることができるだけでなく、取り付けた後に外部からの衝撃が加えられても容易に外れてしまうことがなく、簡易な構造でありながらセットシャーシ２０と飾り帯１５との取り付け状態を強固に保持することができる。
【００４８】
またセットシャーシ２０は、飾り帯１５を嵌め込み式で取り付けるための必要最低限の位置決めダボ６３、６４、７３、７４及び７８を前側枠体部２１、左側枠体部２４及び右側枠体部２３の表面から僅かに突出した状態に設けると共に、係合穴６１及び６２を左側枠体部２４に設けるだけの簡易な構成で飾り帯１５を取り付けることができるようにしたことにより、当該飾り帯１５を取り付ける必要のないポータブルミニディスクプレーヤ１（図３）に対しても流用が可能になる。
【００４９】
以上の構成によれば、ポータブルミニディスクプレーヤ１１はセットシャーシ２０と飾り帯１５とを係合及び嵌め込みによって取り付けると共に、第２腕部５２の位置決め穴５９及び５６と左側枠体部２４の位置決めダボ６３及び６４とが嵌め込み状態を形成することにより、第２腕部５２における係合爪５７及び５８が左側枠体部２４における係合穴６１及び６２の中で上方に移動することを規制し、かつ左側枠体部２４における係合穴６１及び６２と第２腕部５２における係合爪５７及び５８との係合状態が形成されたことにより、第２腕部５２の位置決め穴５９及び５６と左側枠体部２４の位置決めダボ６３及び６４との嵌め込み状態を解除する方向への動きについても規制することができるので、その係合状態を強固に保持することができる。
【００５０】
（８）他の実施の形態
なお上述の実施の形態においては、第２腕部５２に対して係合爪５７及び５８を設け、セットシャーシ２０の左側枠体部２４に係合穴６１及び６２を設けて係合状態を形成するようにした場合について述べたが、本発明はこれに限らず、第１腕部５１に係合爪を設け、セットシャーシ２０の前側枠体部２１に係合穴を設けて係合状態を形成するようにしても良い。
【００５１】
また上述の実施の形態においては、セットシャーシ２０の前側枠体部２１及び左側枠体部２４に対して飾り帯１５を取り付けるようにした場合について述べたが、本発明はこれに限らず、セットシャーシ２０の前側枠体部２１、左側枠体部２４及び右側枠体部２３に対して略コ字状の飾り帯を取り付けるようにしても良い。
【００５２】
さらに上述の実施の形態においては、セットシャーシ２０に位置決め凸部としての位置決めダボ７３、７４及び７８を形成し、飾り帯１５に位置決め穴５３〜５６及び５９を形成するようにした場合について述べたが、本発明はこれに限らず、セットシャーシ２０に位置決め穴を形成し、飾り帯１５に位置決めダボを形成するようにしても良い。
【産業上の利用可能性】
【００５３】
本発明の飾り帯付電子機器は、例えばポータブルミニディスクプレーや以外にもポータブルＣＤ(Compact Disc)プレーヤ等の本体ケースと上蓋ケースとが開閉する他の種々の電子機器に適用することができる。
【図面の簡単な説明】
【００５４】
【図１】飾り帯のないポータブルミニディスクプレーヤの外観構成を示す略線的斜視図である。
【図２】飾り帯のあるポータブルミニディスクプレーヤの外観構成を示す略線的斜視図である。
【図３】ポータブルミニディスクプレーヤに用いられるセットシャーシ（飾り帯を装着しない場合）の構成を示す略線的斜視図である。
【図４】飾帯付ポータブルミニディスクプレーヤに用いられるセットシャーシの構成を示す略線的斜視図である。
【図５】飾り帯の構造（１）を示す略線的斜視図である。
【図６】飾り帯の構造（２）を示す略線的斜視図である。
【図７】飾り帯の構造（３）を示す略線的斜視図である。
【図８】位置決め穴の形状を示す略線図である。
【図９】係合爪の断面構造を示す略線的断面図である。
【図１０】セットシャーシの左側枠体部の構造を示す略線図である。
【図１１】セットシャーシの前側枠体部の構造を示す略線図である。
【図１２】セットシャーシの右側枠体部の構造を示す略線図である。
【図１３】左側枠体部に飾り帯の第２腕部が取り付けられる様子（１）を示す略線的斜視図である。
【図１４】左側枠体部に飾り帯の第２腕部が取り付けられる様子（２）を示す略線的斜視図である。
【図１５】取付方法の説明に供する略線図である。
【図１６】前側枠体部に飾り帯の第１腕部が取り付けられる様子を示す略線的斜視図である。
【符号の説明】
【００５５】
１……ポータブルミニディスクプレーヤ、１１……飾帯付ポータブルミニディスクプレーヤ、２、１２……本体ケース、３、１３……カバー体、４……オープンスライダ、５……電池蓋ケース、６〜９……各種操作ボタン、１５……飾り帯、２０……セットシャーシ、２１……前側枠体部、２２……後側枠体部、２３……右側枠体部、２４……左側枠体部５１……第１腕部、５２……第２腕部、５３、５４、５５、５６、５９……位置決め穴、５７、５８……係合爪、６１、６２……係合穴、６３、６４、７３、７４、７８……位置決めダボ。
【図１】
2006024780.tif 000003
【図２】
2006024780.tif 000004
【図３】
2006024780.tif 000005
【図４】
2006024780.tif 000006
【図５】
2006024780.tif 000007
【図６】
2006024780.tif 000008
【図７】
2006024780.tif 000009
【図８】
2006024780.tif 000010
【図９】
2006024780.tif 000011
【図１０】
2006024780.tif 000012
【図１１】
2006024780.tif 000013
【図１２】
2006024780.tif 000014
【図１３】
2006024780.tif 000015
【図１４】
2006024780.tif 000016
【図１５】
2006024780.tif 000017
【図１６】
2006024780.tif 000018